(57)【要約】【課題】自車両が物標との衝突を回避する行動をとるときに、自車両が周辺の他車両などの移動物体と衝突することを回避できる運転支援装置を提供する。【解決手段】車両の進行方向に存在する物標を検出して、車両と物標との衝突回避を支援する運転支援装置であって、自車両と検出物標との衝突可能性を判断する判断部と、自車両が検出物標に衝突する可能性があると判断された場合、自車両と検出物標との衝突を回避するための行動プランを作成する作成部と、行動プランを自車両から所定の範囲に存在する他車両に送信する送信部と、行動プランを受信した他車両から、他車両が自車両との衝突を回避するための行動をとることが可能か否かの情報を含む返信を受信する受信部と、行動プラン及び他車両からの返信に基づいて、検出物標との衝突を回避するために自車両がとる行動を決定する決定部と、決定部によって決定された行動を実行する実行部と、を備える。【選択図】図１
2019123414.tif 000002
【特許請求の範囲】
【請求項１】
車両の進行方向に存在する物標を検出して、車両と物標との衝突回避を支援する運転支援装置であって、
自車両と検出物標との衝突可能性を判断する判断部と、
自車両が前記検出物標に衝突する可能性があると判断された場合、自車両と前記検出物標との衝突を回避するための行動プランを作成する作成部と、
前記行動プランを自車両から所定の範囲に存在する他車両に送信する送信部と、
前記行動プランを受信した他車両から、他車両が自車両との衝突を回避するための行動をとることが可能か否かの情報を含む返信を受信する受信部と、
前記行動プラン及び他車両からの前記返信に基づいて、前記検出物標との衝突を回避するために自車両がとる行動を決定する決定部と、
前記決定部によって決定された行動を実行する実行部と、を備える、
運転支援装置。
【請求項２】
前記作成部は、自車両が走行している車線以外の他車線への移動を伴う第１の行動プランと、自車両が走行している車線以外の他車線への移動を伴わない第２の行動プランと、を作成し、
前記送信部は、前記第１の行動プランを自車両から所定の範囲に存在する他車両に送信し、
前記受信部は、前記第１の行動プランを受信した他車両から、他車両が自車両との衝突を回避するための行動をとることが可能か否かの情報を前記返信として受信し、
前記決定部は、他車両からの前記返信に基づいて、
全ての他車両が衝突回避行動をとることが可能である場合は、前記第１の行動プランを自車両がとる行動に決定し、
少なくとも１つの他車両が衝突回避行動をとることが不可能である場合は、前記第２の行動プランを自車両がとる行動に決定する、
請求項１に記載の運転支援装置。
【請求項３】
前記作成部は、自車両が走行している車線以外の他車線への移動を伴う自車両行動プランを作成し、
前記送信部は、前記自車両行動プランを自車両から所定の範囲に存在する他車両に送信し、
前記受信部は、前記自車両行動プランを受信した他車両から、他車両が自車両との衝突を回避するための行動をとることが可能か否かの情報、及び可能な場合における他車両と自車両との衝突を回避するための他車両行動プランを、前記返信として受信し、
前記決定部は、他車両からの前記返信に基づいて、全ての他車両が衝突回避行動をとることが可能であり、かつ、全ての前記他車両行動プランに干渉がない場合は、前記自車両行動プランを自車両がとる行動に決定し、その他の場合は、前記自車両行動プランを修正した前記検出物標及び全ての他車両との衝突を回避できる行動プランを自車両がとる行動に決定する、
請求項１に記載の運転支援装置。
【請求項４】
車両に搭載されたコンピューター装置が実行する、車両と物標との衝突回避を支援する運転支援方法であって、
車両の進行方向に存在する物標を検出するステップと、
自車両と前記検出物標との衝突可能性を判断するステップと、
自車両が前記検出物標に衝突する可能性があると判断された場合、自車両と前記検出物標との衝突を回避するための行動プランを作成するステップと、
前記行動プランを自車両から所定の範囲に存在する他車両に送信するステップと、
前記行動プランを受信した他車両から、他車両が自車両との衝突を回避するための行動をとることが可能か否かの情報を含む返信を受信するステップと、
前記行動プラン及び他車両からの前記返信に基づいて、前記検出物標との衝突を回避するために自車両がとる行動を決定するステップと、
前記決定された行動を実行するステップと、を備える、
運転支援方法。
【発明の詳細な説明】
【技術分野】
【０００１】
本発明は、車両に搭載され、車両と物標との衝突を回避するための運転支援を行う運転支援装置及びその装置が実行する運転支援方法に関する。
【背景技術】
【０００２】
特許文献１に、自車両の前方で検知した物標に自車両が衝突するおそれがある場合に、物標との衝突回避のために自車両が移動する方向を自車両の周辺に存在する移動物体、例えば他車両に通知することを行う、運転支援装置が開示されている。このような通知を行うことによって、この運転支援装置では、自車両が物標との衝突を回避する行動をとるときに、自車両が他車両に衝突する可能性を極力低減させている。
【先行技術文献】
【特許文献】
【０００３】
【特許文献１】特開２０１６−２１５７５２号公報
【発明の概要】
【発明が解決しようとする課題】
【０００４】
上記特許文献１に記載された運転支援装置では、自車両が実行しようとする物標との衝突回避行動を周辺の他車両に一方的に通知するだけである。このため、例えば、自車両から衝突回避行動の通知があったことを他車両が気付かない場合などには、自車両が物標との衝突を回避する行動をとるときに自車両と他車両とが衝突してしまう可能性がある。
【０００５】
本発明は、上記課題を鑑みてなされたものであり、自車両が物標との衝突を回避する行動をとるときに、自車両が周辺の他車両などの移動物体と衝突することを回避できる運転支援装置及び方法を提供する、ことを目的とする。
【課題を解決するための手段】
【０００６】
上記課題を解決するために、本発明の一態様は、車両の進行方向に存在する物標を検出して、車両と物標との衝突回避を支援する運転支援装置であって、自車両と検出物標との衝突可能性を判断する判断部と、自車両が検出物標に衝突する可能性があると判断された場合、自車両と検出物標との衝突を回避するための行動プランを作成する作成部と、行動プランを自車両から所定の範囲に存在する他車両に送信する送信部と、行動プランを受信した他車両から、他車両が自車両との衝突を回避するための行動をとることが可能か否かの情報を含む返信を受信する受信部と、行動プラン及び他車両からの返信に基づいて、検出物標との衝突を回避するために自車両がとる行動を決定する決定部と、決定部によって決定された行動を実行する実行部と、を備えることを特徴とする。
【０００７】
この一態様による運転支援装置では、自車両が物標との衝突を回避しようとする際、自車両の周辺に存在する他車両に自車両の衝突回避のための行動プランを事前に送信し、この行動プランに関して他車両から返信される情報に基づいて自車両が実際に実行する行動プランを決定する。この制御によって、自車両は、他車両と協調した行動プランに基づいた運転支援制御を実施することができるので、物標との衝突を回避する行動をとるときに自車両が他車両と衝突することを回避できる。
【０００８】
また、この一態様において、作成部は、自車両が走行している車線以外の他車線への移動を伴う第１の行動プランと、自車両が走行している車線以外の他車線への移動を伴わない第２の行動プランと、を作成し、送信部は、第１の行動プランを自車両から所定の範囲に存在する他車両に送信し、決定部は、他車両からの返信に基づいて、全ての他車両が衝突回避行動をとることが可能である場合は、第１の行動プランを自車両がとる行動に決定し、少なくとも１つの他車両が衝突回避行動をとることが不可能である場合は、第２の行動プランを自車両がとる行動に決定することができる。
【０００９】
この制御によれば、車両の周辺に存在する他車両に影響が及ぶ第１の行動プランと、影響が及ばない第２の行動プランとを作成して、いずれの行動プランが実行可能なのかを他車両からの返信に基づいて判断する。これにより、２つの行動プランから１つを選択するだけで簡単に衝突回避行動を決定することができる。
【００１０】
また、この一態様において、作成部は、自車両が走行している車線以外の他車線への移動を伴う自車両行動プランを作成し、送信部は、自車両行動プランを自車両から所定の範囲に存在する他車両に送信し、受信部は、自車両行動プランを受信した他車両から、他車両が自車両との衝突を回避するための行動をとることが可能か否か、及び可能な場合における他車両と自車両との衝突を回避するための他車両行動プランを含む、返信を受信し、決定部は、他車両からの返信に基づいて、全ての他車両が衝突回避行動をとることが可能であり、かつ、全ての他車両行動プランに干渉がない場合は、自車両行動プランを自車両がとる行動に決定し、その他の場合は、自車両行動プランを修正した検出物標及び全ての他車両との衝突を回避できる行動プランを自車両がとる行動に決定することができる。
【００１１】
この制御によれば、車両の周辺に存在する他車両に影響が及ぶ行動プランを予め作成して、この行動プランをそのまま実行可能なのか修正が必要なのかを他車両からの返信に基づいて判断する。これにより、予め作成した行動プランを他車両の走行状況に応じた最適な内容に修正することができる。
【００１２】
また、本発明の他の態様は、車両に搭載されたコンピューター装置が実行する、車両と物標との衝突回避を支援する運転支援方法であって、車両の進行方向に存在する物標を検出するステップと、自車両と検出物標との衝突可能性を判断するステップと、自車両が検出物標に衝突する可能性があると判断された場合、自車両と検出物標との衝突を回避するための行動プランを作成するステップと、行動プランを自車両から所定の範囲に存在する他車両に送信するステップと、行動プランを受信した他車両から、他車両が自車両との衝突を回避するための行動をとることが可能か否かの情報を含む返信を受信するステップと、行動プラン及び他車両からの返信に基づいて、検出物標との衝突を回避するために自車両がとる行動を決定するステップと、決定された行動を実行するステップと、を備えることを特徴とする。
【００１３】
この他の態様による運転支援方法では、自車両が物標との衝突を回避しようとする際、自車両の周辺に存在する他車両に自車両の衝突回避行動プランを事前に送信し、この衝突回避行動プランに関して他車両から返信される情報に基づいて実際に実行する行動プランを決定する。この制御方法によって、自車両は、他車両と協調した行動プランに基づいた運転支援制御を実施することができるので、物標との衝突を回避する行動をとるときに自車両が他車両と衝突することを回避できる。
【発明の効果】
【００１４】
上記本発明の運転支援装置及び方法によれば、自車両が物標との衝突を回避する行動をとるときに、自車両が周辺の他車両などの移動物体と衝突することを回避できる。
【図面の簡単な説明】
【００１５】
【図１】本発明の一実施形態に係る運転支援装置の概略構成を示す図
【図２】本運転支援装置で実行される第１例の衝突回避制御を説明するシーケース図
【図３】第１例による衝突回避制御に基づく車両の挙動を簡易的に説明する図
【図４】本運転支援装置で実行される第２例の衝突回避制御を説明するシーケース図
【図５Ａ】本運転支援装置で実行される第３例の衝突回避制御を説明するシーケース図
【図５Ｂ】本運転支援装置で実行される第３例の衝突回避制御を説明するシーケース図
【発明を実施するための形態】
【００１６】
［概要］
本発明は、車両の進行方向に存在する物標を検出して、車両と物標との衝突回避を支援する運転支援装置である。本運転支援装置は、自車両が物標との衝突を回避しようとする際、自車両の周辺の他車両に自車両の衝突回避行動プランを事前に送信し、この衝突回避行動プランに関して他車両から返信される情報に基づいて自車両が実際に実行する行動プランを決定する。この制御によって、自車両は、他車両と協調した行動プランに基づいた運転支援制御を実施することができるので、物標との衝突を回避する行動をとるときに自車両が他車両と衝突することを回避できる。
【００１７】
［構成］
図１は、本発明の一実施形態に係る運転支援装置１の概略構成を示す図である。図１に示した本運転支援装置１は、周辺状況取得部１０、衝突判断部２１と行動プラン作成部２２と行動決定部２３とを含む衝突回避処理部２０、送信部３１と受信部３２とを含む車外通信部３０、及び操舵制御部４１と減速制御部４２とを含む行動実行部４０、を備えている。この運転支援装置１は、車両に搭載されている。
【００１８】
周辺状況取得部１０は、車両の位置及び速度などの走行状態や、車両の周辺に存在する物標（歩行者、自転車、先行車両、駐車車両、及び路上設置物など）の状況を特定するための様々な情報を取得して、車両の走行に影響がある物標を検出するための構成である。この様々な情報とは、例えば、車両に設置されるカメラ（図示せず）によって撮影された画像データ、ミリ波レーダーや光レーダー（Ｌｉｄａｒ）や超音波ソナーなど（図示せず）によって観測された信号波データ、などである。周辺状況取得部１０は、これらの情報に基づいて、車両と物標との距離や車両から見た物標の方向及び車両と物標との空間を認識することができ、車両の走行に影響がある物標を検出することができる。
【００１９】
衝突判断部２１は、周辺状況取得部１０によって車両の走行に影響があるとして検出された物標（以下「検出物標」という）に、車両が衝突する可能性があるか否かを判断するための構成である。この衝突判断部２１は、例えば、衝突回避支援ＥＣＵ（電子制御ユニット）や運転支援ＥＣＵによって構成される。
【００２０】
行動プラン作成部２２は、衝突判断部２１において車両が検出物標に衝突する可能性があると判断された場合に、車両と検出物標との衝突を回避するための行動プランを作成するための構成である。この行動プラン作成部２２は、例えば、衝突回避支援ＥＣＵや運転支援ＥＣＵで構成される。なお、衝突回避の行動プランについては後述する。
【００２１】
送信部３１は、行動プラン作成部２２で作成された衝突回避の行動プランを、車両（以下「自車両」という）の周辺（自車両から所定の範囲）に存在する別の車両などの移動物体（以下「他車両」という）に向けて送信するための構成である。この送信部３１は、例えば、車車間通信ＥＣＵや送信アンテナによって構成される。
【００２２】
受信部３２は、衝突回避行動プランを受信した他車両から、衝突回避の行動プランに対する所定の返信を受信するための構成である。所定の返信には、他車両が自車両との衝突を回避するための行動をとることが可能か否かの情報を含んでおり、さらに本運転支援装置１を搭載している他車両で作成された自車両との衝突を回避するための行動プランを含んでいてもよい。この受信部３２は、車車間通信ＥＣＵや受信アンテナによって構成される。
【００２３】
行動決定部２３は、少なくとも、行動プラン作成部２２で作成された衝突回避の行動プランと、受信部３２で受信された他車両が自車両との衝突を回避するための行動をとることが可能か否かの情報とに基づいて、検出物標との衝突を回避するために自車両がとる行動を決定するための構成である。また、行動決定部２３は、さらに他車両で作成された衝突回避の行動プランにも基づいて、検出物標との衝突を回避するために自車両がとる行動を決定することができる。この行動決定部２３は、例えば、衝突回避支援ＥＣＵや運転支援ＥＣＵによって構成される。なお、自車両がとる行動を決定する手法については後述する。そして、行動決定部２３は、決定した行動を行動実行部４０に指示することを行う。
【００２４】
操舵制御部４１は、行動決定部２３からの指示に基づいて、自車両の操舵を制御するための構成である。具体的には、操舵制御部４１は、ステアリングを操舵するタイミングやステアリングの操舵量を制御することができる。この操舵制御部４１は、例えば、ステアリング制御ＥＣＵや操舵用アクチュエーターによって構成される。
【００２５】
減速制御部４２は、行動決定部２３からの指示に基づいて、自車両の速度を低下させるための構成である。具体的には、減速制御部４２は、ブレーキを操作するタイミングやブレーキの踏み込み量を制御することができる。この減速制御部４２は、例えば、ブレーキ制御ＥＣＵ、減速用アクチュエーター、及びＨＶモーターによって構成される。
【００２６】
なお、上述したＥＣＵ（Electronic Control Unit）は、典型的には中央演算処理装置（ＣＰＵ：Central Processing Unit）、メモリ、及び入出力インターフェースなどを含んで構成され得る。このＥＣＵは、メモリに格納された所定のプログラムをＣＰＵが読み出して実行することによって、所定の機能を実現する。
【００２７】
［制御］
次に、図２乃至図５Ｂをさらに参照して、本発明の一実施形態に係る運転支援装置１で実行される運転支援方法を説明する。以下の説明では、自車両となる車両Ａの運転支援装置１と他車両となる車両Ｂの運転支援装置１との間で衝突回避制御が行われる場合を説明している。
【００２８】
＜第１例＞
図２は、第１例による衝突回避制御の処理手順を説明するシーケース図である。本衝突回避制御は、車両Ａの周辺状況取得部１０によって車両の走行に影響がある物標が検出されることで開始される。図３は、第１例による衝突回避制御に基づく車両の挙動を簡易的に説明する図である。
【００２９】
ステップＳ２０１：車両Ａの衝突判断部２１は、車両Ａが検出物標と衝突する可能性があるか否かを判断する。衝突する可能性がある場合には、ステップＳ２０２に進む。衝突する可能性がない場合には、以降の処理は中止される。
【００３０】
ステップＳ２０２：車両Ａの行動プラン作成部２２は、車両Ａによる衝突回避の行動プランとして、車両Ａが走行している車線以外の他車線への移動を伴う行動プラン（以下「第１の行動プラン」という）と、車両Ａが走行している車線以外の他車線への移動を伴わない車線内の移動に限定した行動プラン（以下「第２の行動プラン」という）との、２つを作成する。他車線は、車両と進行方向が同じ車線（片側複車線）であってもよいし、車両と進行方向が反対の対向車線であってもよい。
【００３１】
ステップＳ２０３：車両Ａの送信部３１は、この後に衝突回避行動を実行するという予告と行動プラン作成部２２が作成した第１の行動プランとを、車両Ａの周辺に存在する車両Ｂに送信する。
【００３２】
ステップＳ２０４：車両Ｂの受信部３２は、衝突回避行動を実行するという予告と第１の行動プランとを、車両Ａから受信する。
【００３３】
ステップＳ２０５：車両Ｂの周辺状況取得部１０は、車両Ａが衝突回避行動を実行するという予告の受信に応じて、車両Ｂの周辺に存在する物標の状況（検出物標の有無、方向、距離、空間）を確認する。
【００３４】
ステップＳ２０６：車両Ｂの衝突判断部２１は、ステップＳ２０４で確認した周辺状況に基づいて、車両Ｂが検出物標と衝突することなく車両Ａとの衝突を回避する行動を実行できるか否かを判断する。回避行動を実行可能である場合には、ステップＳ２０７に進み、回避行動を実行不可能である場合には、ステップＳ２１３に進む。
【００３５】
ステップＳ２０７：回避行動を実行可能である場合、車両Ｂの行動プラン作成部２２は、車両Ｂによる衝突回避の行動プランとして、検出物標と衝突することなく車両Ａとの衝突を回避するための行動プランを作成する。
【００３６】
ステップＳ２０８：車両Ｂの送信部３１は、回避行動を実行可能であることの通知を車両Ａに送信する。
【００３７】
ステップＳ２０９：車両Ａの受信部３２は、回避行動を実行可能であることの通知を車両Ｂから受信する。
【００３８】
ステップＳ２１０：車両Ａの行動決定部２３は、車両Ｂが回避行動を実行可能であることから、ステップＳ２０２で作成した走行車線以外の他車線への移動を伴う第１の行動プランを自車両がとる衝突回避行動として決定する。
【００３９】
ステップＳ２１１：車両Ａの行動実行部４０は、第１の行動プランに基づいて、車両Ａが検出物標と衝突することを回避するための行動を実行する。
【００４０】
ステップＳ２１２：車両Ｂの行動実行部４０は、ステップＳ２０７で作成した車両Ｂの行動プランに基づいて、車両Ｂが検出物標と衝突することなく車両Ａと衝突することを回避するための行動を実行する。
【００４１】
ステップＳ２１３：回避行動を実行不可能である場合、車両Ｂの送信部３１は、回避行動を実行不可能であることを車両Ａに送信する。
【００４２】
ステップＳ２１４：車両Ａの受信部３２は、回避行動を実行不可能であることを車両Ｂから受信する。
【００４３】
ステップＳ２１５：車両Ａの行動決定部２３は、車両Ｂが回避行動を実行不可能であることから、ステップＳ２０２で作成した走行車線以外の他車線への移動を伴わない車線内の移動に限定した第２の行動プランを自車両がとる衝突回避行動として決定する。
【００４４】
ステップＳ２１６：車両Ａの行動実行部４０は、第２の行動プランに基づいて、車両Ａが検出物標と衝突することを回避するための行動を実行する。
【００４５】
＜第２例＞
図４は、第２例による衝突回避制御の処理手順を説明するシーケース図である。本衝突回避制御は、車両Ａの周辺状況取得部１０によって車両の走行に影響がある物標が検出されることで開始される。
【００４６】
ステップＳ４０１：車両Ａの衝突判断部２１は、車両Ａが検出物標と衝突する可能性があるか否かを判断する。衝突する可能性がある場合には、ステップＳ４０２に進む。衝突する可能性がない場合には、以降の処理は中止される。
【００４７】
ステップＳ４０２：車両Ａの行動プラン作成部２２は、車両Ａによる衝突回避の行動プランとして、車両Ａが走行している車線以外の他車線への移動を伴う行動プラン（以下「自車両行動プラン」という）を作成する。
【００４８】
ステップＳ４０３：車両Ａの送信部３１は、この後に衝突回避行動を実行するという予告と行動プラン作成部２２が作成した自車両行動プランとを、車両Ａの周辺に存在する車両Ｂに送信する。
【００４９】
ステップＳ４０４：車両Ｂの受信部３２は、衝突回避行動を実行するという予告と自車両行動プランとを、車両Ａから受信する。
【００５０】
ステップＳ４０５：車両Ｂの周辺状況取得部１０は、車両Ａが衝突回避行動を実行するという予告の受信に応じて、車両Ｂの周辺に存在する物標の状況（検出物標の有無、方向、距離、空間）を確認する。
【００５１】
ステップＳ４０６：車両Ｂの衝突判断部２１は、ステップＳ４０４で確認した周辺状況に基づいて、車両Ｂが検出物標と衝突することなく車両Ａとの衝突を回避する行動を実行できるか否かを判断する。回避行動を実行可能である場合には、ステップＳ４０７に進み、回避行動を実行不可能である場合には、ステップＳ４１３に進む。
【００５２】
ステップＳ４０７：回避行動を実行可能である場合、車両Ｂの行動プラン作成部２２は、車両Ｂよる衝突回避の行動プランとして、検出物標と衝突することなく車両Ａとの衝突を回避するための行動プラン（以下「他車両行動プラン」という）を作成する。
【００５３】
ステップＳ４０８：車両Ｂの送信部３１は、回避行動を実行可能であることの通知及び他車両行動プランを、車両Ａに送信する。
【００５４】
ステップＳ４０９：車両Ａの受信部３２は、回避行動を実行可能であることの通知及び他車両行動プランを、車両Ｂから受信する。
【００５５】
ステップＳ４１０：車両Ａの行動決定部２３は、車両Ｂが回避行動を実行可能であることから、ステップＳ４０２で作成した走行車線以外の他車線への移動を伴う自車両行動プランを自車両がとる衝突回避行動として採用（決定）する。
【００５６】
ステップＳ４１１：車両Ａの行動実行部４０は、自車両行動プランに基づいて、車両Ａが検出物標と衝突することを回避するための行動を実行する。
【００５７】
ステップＳ４１２：車両Ｂの行動実行部４０は、ステップＳ４０７で作成した他車両行動プランに基づいて、車両Ｂが検出物標と衝突することなく車両Ａと衝突することを回避するための行動を実行する。
【００５８】
ステップＳ４１３：回避行動を実行不可能である場合、車両Ｂの送信部３１は、回避行動を実行不可能であることを車両Ａに送信する。
【００５９】
ステップＳ４１４：車両Ａの受信部３２は、回避行動を実行不可能であることを車両Ｂから受信する。
【００６０】
ステップＳ４１５：車両Ａの行動決定部２３は、車両Ｂが回避行動を実行不可能であることから、ステップＳ４０２で作成した自車両行動プランを車両Ａが検出物標及び他車両Ｂとの衝突を回避できるように修正した新たな行動プランを、自車両がとる衝突回避行動として決定する。
【００６１】
ステップＳ４１６：車両Ａの行動実行部４０は、ステップＳ４１５で新たに作成した車両Ａの行動プランに基づいて、車両Ａが検出物標と衝突することを回避するための行動を実行する。
【００６２】
＜第３例＞
図５Ａ及び図５Ｂは、第３例による衝突回避制御の処理手順を説明するシーケース図である。この第３例は、上述した上記第２例において車両Ａが複数の他車両（車両Ｂ、車両Ｃ、…、車両Ｘ）と本衝突回避制御を行う場合について説明するものである。
【００６３】
ステップＳ５０１：車両Ａの衝突判断部２１は、車両Ａが検出物標と衝突する可能性があるか否かを判断する。衝突する可能性がある場合には、ステップＳ５０２に進む。衝突する可能性がない場合には、以降の処理は中止される。
【００６４】
ステップＳ５０２：車両Ａの行動プラン作成部２２は、車両Ａによる衝突回避の行動プランとして、車両Ａが走行している車線以外の他車線への移動を伴う行動プラン（以下「自車両行動プラン」という）を作成する。
【００６５】
ステップＳ５０３：車両Ａの送信部３１は、この後に衝突回避行動を実行するという予告と行動プラン作成部２２が作成した自車両行動プランとを、車両Ａの周辺に存在する車両Ｂ、車両Ｃ、…、車両Ｘに送信する。
【００６６】
ステップＳ５０４−１〜ｎ：車両Ｂ、車両Ｃ、…、車両Ｘの受信部３２は、衝突回避行動を実行するという予告と自車両行動プランとを、車両Ａからそれぞれ受信する。なお、変数ｎは、他車両の数に応じた値である。
【００６７】
ステップＳ５０５−１〜ｎ：車両Ｂ、車両Ｃ、…、車両Ｘの周辺状況取得部１０は、車両Ａが衝突回避行動を実行するという予告の受信に応じて、車両Ｂ、車両Ｃ、…、車両Ｘの各々の周辺に存在する物標の状況（検出物標の有無、方向、距離、空間）をそれぞれ確認する。
【００６８】
ステップＳ５０６−１〜ｎ：車両Ｂ、車両Ｃ、…、車両Ｘの衝突判断部２１は、ステップＳ５０４−１〜ｎで確認した周辺状況に基づいて、車両Ｂが検出物標と衝突することなく車両Ａとの衝突を回避する行動を実行できるか否かをそれぞれ判断する。回避行動を実行可能である場合には、ステップＳ５０７−１〜ｎにそれぞれ進み、回避行動を実行不可能である場合には、ステップ５０８−１〜ｎにそれぞれに進む。
【００６９】
ステップＳ５０７−１〜ｎ：回避行動を実行可能である車両の行動プラン作成部２２は、検出物標と衝突することなく車両Ａとの衝突を回避するための衝突回避の行動プラン（以下「他車両行動プラン」という）を作成する。
【００７０】
ステップＳ５０８−１〜ｎ：車両Ｂ、車両Ｃ、…、車両Ｘの送信部３１は、ステップＳ５０６−１〜ｎで判断した回避行動の実行可否を車両Ａに送信する。また、車両Ｂ、車両Ｃ、…、車両Ｘの送信部３１は、ステップＳ５０７−１〜ｎで他車両行動プランを作成していれば、他車両行動プランを車両Ａに送信する。
【００７１】
ステップＳ５０９：車両Ａの受信部３２は、回避行動の実行可否及び他車両行動プランを、車両Ｂ、車両Ｃ、…、車両Ｘから受信する。
【００７２】
ステップＳ５１０：車両Ａの行動決定部２３は、自車両が衝突回避行動としてとる行動プランを以下のように決定する。
【００７３】
車両Ａの行動決定部２３は、車両Ｂ、車両Ｃ、…、車両Ｘの全てが回避行動を実行可能であって、かつ、全ての他車両行動プランで干渉がない場合は、ステップＳ５０２で作成した走行車線以外の他車線への移動を伴う自車両行動プランを自車両がとる衝突回避行動として採用（決定）する。一方、車両Ａの行動決定部２３は、車両Ｂ、車両Ｃ、…、車両Ｘの全てが回避行動を実行可能であってもいずれかの他車両行動プランに干渉がある場合、又は車両Ｂ、車両Ｃ、…、車両Ｘの全てが回避行動を実行可能でない場合は、車両Ａが検出物標及び他車両Ｂとの衝突を回避できる内容に自車両行動プランを修正した新たな行動プランを、自車両がとる衝突回避行動として決定する。なお、行動プランの干渉とは、例えば、ある時刻において２つ以上の車両の走行経路が重複することをいう。
【００７４】
ステップＳ５１１：車両Ａの行動実行部４０は、ステップＳ５１０で採用又は修正した自車両行動プランに基づいて、車両Ａが検出物標と衝突することを回避するための行動を実行する。
【００７５】
ステップＳ５１２−１〜ｎ：車両Ｂ、車両Ｃ、…、車両Ｘの行動実行部４０は、ステップＳ５０７−１〜ｎで他車両行動プランを作成していれば、その他車両行動プランに基づいて、車両Ｂが検出物標と衝突することなく車両Ａと衝突することを回避するための行動を実行する。
【００７６】
なお、上述した第１例において車両Ａが複数の他車両（車両Ｂ、車両Ｃ、…、車両Ｘ）と本衝突回避制御を行う場合も、第３例と同様の判断を行うことができる。すなわち、車両Ａの行動決定部２３は、車両Ｂ、車両Ｃ、…、車両Ｘについて、全てが回避行動を実行可能である場合は第１の自車両行動プランを自車両がとる衝突回避行動として決定し、少なくとも１つが回避行動を実行不可能である場合は第２の自車両行動プランを自車両がとる衝突回避行動として決定すればよい。
【００７７】
［本実施形態による作用及び効果］
上述した本発明の一実施形態に係る運転支援装置及び方法によれば、自車両が検出された物標との衝突を回避しようとする際、自車両の周辺に存在する他車両などの移動物体に向けて自車両の衝突回避行動プランを事前に送信し、この衝突回避行動プランに関して他車両から返信される情報に基づいて実際に実行する行動プランを決定する。
【００７８】
この制御によって、自車両は、他車両と協調した行動プランに基づいた運転支援制御を実施することができるので、物標との衝突を回避する行動をとるときに自車両が他車両と衝突することを回避できる。
【００７９】
例えば、自車両の走行車線以外の他車線への移動を伴う第１の行動プランと、自車両の走行車線以外の他車線への移動を伴わない第２の行動プランと、を予め作成して、第１の行動プランを他車両に送信した場合、全ての他車両が衝突回避行動をとることが可能であれば第１の行動プランを採用し、それ以外であれば第２の行動プランを採用できるので、簡単に衝突回避行動を決定することができる。
【００８０】
また、自車両の走行車線以外の他車線への移動を伴う行動プランを予め作成し、この行動プランを他車両に送信した場合、全ての他車両が衝突回避行動をとることが可能であり、全ての他車両行動プランに干渉がなければ予め作成した行動プランを採用し、それ以外であれば予め作成した行動プランを修正して採用できるので、他車両の走行状況に応じた最適な内容の行動プランを決定することができる。また、予め作成する行動プランが１つで済むため、行動プラン作成部２２による演算の負荷を低減することができる。
【産業上の利用可能性】
【００８１】
本発明の運転支援装置及び方法は、車両などに利用可能であり、自車両が物標との衝突を回避する行動をとるときに、自車両が周辺の他車両などの移動物体と衝突することを回避したい場合などに有用である。
【符号の説明】
【００８２】
１    運転支援装置
１０  周辺状況取得部
２０  衝突回避処理部
２１  衝突判断部
２２  行動プラン作成部
２３  行動決定部
３０  車外通信部
３１  送信部
３２  受信部
４０  行動実行部
４１  操舵制御部
４２  減速制御部
【図１】
2019123414.tif 000003
【図２】
2019123414.tif 000004
【図３】
2019123414.tif 000005
【図４】
2019123414.tif 000006
【図５Ａ】
2019123414.tif 000007
【図５Ｂ】
2019123414.tif 000008